(57)【要約】【課題】、画像ファイルの保存形式を選択可能とし、かつ、保存形式に応じてフォルダ名やファイル名をユーザが管理しやすい名称に設定可能とすることで、ユーザの利便性が向上するビデオプロセッサを提供する。【解決手段】ビデオプロセッサ１は、外部から入力された撮像信号から内視鏡画像を生成する映像処理部１２と、内視鏡画像を記録するエンコーダ１３と、内視鏡画像を記録メディア５に出力する制御部１８と、内視鏡画像を記録メディア５に保存する際の保存形式としてＤＣＦ規格に対応したファイル管理構造で内視鏡画像を保存するＤＣＦ形式と、日時に基づく階層構造を有するファイル管理構造で内視鏡画像を保存する日時ディレクトリ形式との、少なくとも二つの保存形式が登録されているメモリ１７とを有する。制御部１８は、保存形式を切り替えて内視鏡画像を出力可能である。【選択図】図２
2017012212.tif 000002
【特許請求の範囲】
【請求項１】
外部から入力された撮像信号から内視鏡画像を生成する映像処理部と、
前記映像処理部により生成された前記内視鏡画像を記録する画像記録部と、
着脱可能な記録装置が装着された際に、前記画像記録部に記録された前記内視鏡画像を出力する出力部と、
前記出力部から出力される前記内視鏡画像を前記記録装置に保存する際の保存形式としてＤＣＦ規格に対応したファイル管理構造で前記内視鏡画像を保存するＤＣＦ形式と、前記内視鏡画像に係わる日時に基づく階層構造を有するファイル管理構造で前記内視鏡画像を保存する日時ディレクトリ形式との、少なくとも二つの前記保存形式が登録されている記録部と、
を有し、前記出力部は、前記保存形式を切り替えて前記内視鏡画像を出力可能であることを特徴とする、ビデオプロセッサ。
【請求項２】
前記日時ディレクトリ形式は、前記内視鏡画像に係わる患者情報と前記日時とに基づきフォルダ名が付与されることを特徴とする、請求項１に記載のビデオプロセッサ。
【請求項３】
前記保存形式の切り替え指示を入力する入力部を更に有することを特徴とする、請求項１又は請求項２に記載のビデオプロセッサ。
【請求項４】
前記日時は、前記内視鏡画像を取得するための内視鏡検査が行われた日時であることを特徴とする、請求項１から請求項３のいずれか１項に記載のビデオプロセッサ。
【発明の詳細な説明】
【技術分野】
【０００１】
本発明は、ビデオプロセッサに関し、特に、内視鏡画像をＤＣＦ形式で外部のメディアに記録するビデオプロセッサに関するものである。
【背景技術】
【０００２】
従来、被検体の内部の被写体を撮像する内視鏡と、内視鏡により撮像された被写体の観察画像を生成するビデオプロセッサと、ビデオプロセッサにより生成された観察画像を表示するモニタとを備えた内視鏡システムが、医療分野及び工業分野等において広く用いられている。
【０００３】
一般的に、上述のように生成された観察画像は、リアルタイムでモニタに表示されるだけでなく、ＵＳＢメモリなどの記録メディアに画像ファイルとして保存し、必要なときにビューワーで閲覧される。画像ファイルを閲覧するビューワーは、汎用性の高いデジタルカメラ用のビューワーが用いられることが多いため、従来、デジタルカメラ用の画像フォーマットであるＤＣＦ(Design rule for Camera File system)形式で画像ファイルを保存していた。
【０００４】
しかし、ＤＣＦ形式においては、ディレクトリ名（フォルダ名）やファイル名に使用できる文字列に厳格な制約が課されており、大文字の英字と数字のみで表記される。従って、フォルダ名やファイル名からは、当該ファイルがどのような検査画像であるのかわかりづらいという問題があった。
【０００５】
そこで、ＤＣＦ形式に順序した既存のファイル管理構造と互換性を維持した上で、画像ファイルに対してユーザが任意のフォルダ名やファイル名を付与することを可能とした電子カメラ装置が提案されている（例えば、特許文献１参照）。
【先行技術文献】
【特許文献】
【０００６】
【特許文献１】特開２００２−１４２１８５号公報
【発明の概要】
【発明が解決しようとする課題】
【０００７】
近年、デジタルカメラ用のビューワーだけでなく、例えばパソコンの画像ビューワーを用いて画像ファイルを閲覧する機会が増加している。このため、画像ファイルを記録メディアに保存する際に、閲覧するビューワーに応じたファイル管理構造で保存する必要がある。しかしながら、特許文献１に記載された電子カメラ装置では、画像ファイルの保存形式はあくまでもＤＣＦ形式であるので、ＤＣＦ形式に準拠していないビューワーには対応できない。
【０００８】
そこで、本発明は、画像ファイルの保存形式を選択可能とし、かつ、保存形式に応じてフォルダ名やファイル名をユーザが管理しやすい名称に設定可能とすることで、ユーザの利便性が向上するビデオプロセッサを提供することを目的とする。
【課題を解決するための手段】
【０００９】
本発明の一態様のビデオプロセッサは、外部から入力された撮像信号から内視鏡画像を生成する映像処理部と、前記映像処理部により生成された前記内視鏡画像を記録する画像記録部と、着脱可能な記録装置が装着された際に、前記画像記録部に記録された前記内視鏡画像を出力する出力部と、前記出力部から出力される前記内視鏡画像を前記記録装置に保存する際の保存形式として、ＤＣＦ規格に対応したファイル管理構造で前記内視鏡画像を保存するＤＣＦ形式と、前記内視鏡画像に係わる日時に基づく階層構造を有するファイル管理構造で前記内視鏡画像を保存する日時ディレクトリ形式との、少なくとも二つの前記保存形式が登録されている記録部と、を有する。前記出力部は、前記保存形式を切り替えて前記内視鏡画像を出力可能である。
【発明の効果】
【００１０】
本発明のビデオプロセッサによれば、画像ファイルの保存形式を選択可能とし、かつ、保存形式に応じてフォルダ名やファイル名をユーザが管理しやすい名称に設定可能とすることで、ユーザの利便性が向上する。
【図面の簡単な説明】
【００１１】
【図１】本発明の実施形態に係るビデオプロセッサ１を含む内視鏡システムの全体構成の一例を示す図。
【図２】内視鏡システムの詳細な構成を説明する概略ブロック図。
【図３】記録メディア５で保存するファイルの管理構造の一例を説明する図。
【図４】ファイルの保存形式を選択する画面の一例を説明する図。
【発明を実施するための形態】
【００１２】
以下、図面を参照して実施形態を説明する。
【００１３】
図１は、本発明の実施形態に係るビデオプロセッサ１を含む内視鏡システムの全体構成の一例を示す図である。内視鏡システムは、例えば、図１に示すように、体腔内に挿入し患部を観察あるいは処置する内視鏡２と、内視鏡２により撮像された映像信号に所定の信号処理を施すビデオプロセッサ１とを有して構成されている。ビデオプロセッサ１には、信号処理が施された映像を表示する観察モニタ３と、操作指示や文字情報等の入力を行うための入力部としてのキーボード４と、内視鏡２により撮像された映像や画像を保存する記録装置としての記録メディア５とが接続されている。なお、観察モニタ３は、内視鏡システムの各部の設定を行うための設定画面や情報表示画面としても用いられる。
【００１４】
図２は、内視鏡システムの詳細な構成を説明する概略ブロック図である。図２に示すように、内視鏡２は、患者の体腔内等に挿入可能な細長の挿入部２５を有しており、挿入部２５の先端には例えばＣＣＤ等の撮像素子２４が配設されている。内視鏡２の挿入部２５の基端側はコネクタ部２１が設けられており、コネクタ部２１に設けられた電気コネクタ２１ａによって、着脱自在にビデオプロセッサ１に接続されるようになっている。また、内視鏡２には、挿入部２５の先端へ照明光を導くライトガイド２３と、内視鏡２の各部の操作を行う操作スイッチ２２とも設けられている。
【００１５】
なお、内視鏡２の挿入部は、軟性であってもよいし、硬性（外科手術に用いられる硬性内視鏡）であってもよい。また、撮像素子２４は、内視鏡２の挿入部２５の先端に設けられているが、これに限定されるものではない。例えば、撮像素子２４は、操作スイッチ２２が設けられている操作部（ユーザにより把持される部分）内に設けられ、挿入部２５の先端から操作部内の撮像素子２４までイメージガイドファイバで光学像を伝送する構成であってもよい。
【００１６】
光源装置６は、照明光を生成する例えばランプ等の光源６１と、光源６１から照射される照明光をライトガイド２３の入射端面に集光させる集光レンズ６２と、光量の調整等の各種操作を行うための操作パネル６３とを有する。なお、光源６１としては、ランプの他に、例えばＬＥＤやレーザーダイオード（半導体光源）を用いてもよい。また、半導体光源を用いる場合、白色光を出射する半導体光源を用いてもよいし、Ｒ（赤）、Ｇ（緑）、Ｂ（青）の色成分毎に半導体光源を設け、これらの半導体光源から出射される各色成分の光を合波して白色光を得るものであってもよい。
【００１７】
ビデオプロセッサ１は、内視鏡２の電気コネクタ２１ａと接続されるコネクタ１１と、映像処理部１２と、エンコーダ１３と、表示コントローラ１４と、映像信号切替回路１５と、Ｄ／Ａ変換回路１６と、メモリ１７と、制御部１８と、操作パネル１９とから主に構成される。
【００１８】
映像処理部１２は、撮像素子２４から出力される映像信号に各種の処理を施して、観察モニタ３に表示させる映像を生成する部位であり、映像処理回路１２１、Ａ／Ｄ変換回路１２２、ホワイトバランス回路１２３、画像処理回路１２４を有して構成される。
【００１９】
映像処理回路１２１は、撮像素子２４から出力されるアナログの映像信号に対して、ＡＧＣ処理（オートゲインコントロール処理）やＣＤＳ処理（相関二重サンプリング処理）など所定の処理を施す。Ａ／Ｄ変換回路１２２は、映像処理回路１２１から入力されるアナログの映像信号をデジタルの映像信号に変換する。ホワイトバランス回路１２３は、撮影環境での光の色の影響を補正して、望んだ色調の映像を得るための処理（ホワイトバランス処理）を行う。画像処理回路１２４は、ホワイトバランス処理後の映像信号に対し、色補正や歪み補正処理や強調処理など、所定の処理を施す。また、画像処理回路１２４は、映像信号を観察モニタ３に表示するための信号形式に変換する。
【００２０】
画像記録部としてのエンコーダ１３は、映像処理部１２から出力されるデジタルの映像信号を取り込んで所定の記録形式で符号化し、記録メディア５に保存するための映像や静止画像を生成する。表示コントローラ１４は、観察モニタ３に表示させるための各種画面（例えば、設定画面や情報表示画面など）を生成する。映像信号切替回路１５は、制御部１８からの指示に従い、観察モニタ３の表示内容として、映像処理部１２から出力される映像信号と、表示コントローラ１４から出力される画面のいずれかを選択し、出力信号の切り替えを行う。Ｄ／Ａ変換回路１６は、映像信号切替回路１５から入力されるデジタルの信号をアナログの信号に変換し、観察モニタ３に出力する。
【００２１】
記録部としてのメモリ１７は、ビデオプロセッサ１の各部位で用いられるパラメータや設定値などを保存している。なお、メモリ１７には、記録メディア５で保存する映像や静止画像の保存形式（ファイルの管理構造）に関する設定も保存されている。出力部としての制御部１８は、キーボード４や操作パネル１９などを介してユーザから入力される指示や、メモリ１７に保存されているパラメータや設定値などに基づき、ビデオプロセッサ１の各部位を制御する。また、制御部１８は、ユーザから映像や静止画像の保存指示が入力されると、ビデオプロセッサ１に装着された記録メディア５に、同映像及び静止画像を出力する。
【００２２】
操作パネル１９は、例えば、液晶ディスプレイと、液晶ディスプレイに重ねて配置されたタッチパネルセンサとが一体となって構成された、タッチパネルディスプレイである。ユーザがビデオプロセッサ１の各部位に指示するための操作装置であり、操作情報は制御部１８に入力される。
【００２３】
なお、図２を用いた上記の説明において、ビデオプロセッサ１は内視鏡２が接続される構成になっているが、これに限定されるものではなく、例えば体腔内に挿入される光学式内視鏡（ファイバースコープ、あるいは外科手術用の光学視管）の接眼部に装着されるカメラヘッドが接続される構成であってもよい。
【００２４】
更に、内視鏡２及びビデオプロセッサ１は、電気コネクタ２１ａ及びコネクタ１１により接続され、電気信号を有線で伝送する構成になっているが、これに限定されるものではなく、電気信号を無線で伝送する構成であってもよい。
【００２５】
次に、記録メディア５で保存する映像や静止画像の保存形式（ファイルの管理構造）について説明する。図３は、記録メディア５で保存するファイルの管理構造の一例を説明する図である。記録メディア５には、例えば、ＤＣＦ規格に対応したファイル管理構造であるＤＣＦ形式で内視鏡画像を登録するＤＣＦフォルダと、ＤＡＴＥ ａｎｄ ＩＤフォルダとの、２つのフォルダが設けられている。ＤＡＴＥ ａｎｄ ＩＤフォルダには、ユーザがファイルのプロパティを識別しやすいように、日付や患者ＩＤなどを切り口としてフォルダ名や階層を設定したファイル管理構造で内視鏡画像を保存する日時ディレクトリ形式で内視鏡画像を登録する。
【００２６】
ＤＣＦフォルダは、ルートディレクトリとして固定名称「ＤＣＩＭ」が付与された検査画像保存用フォルダの下に、サブディレクトリとして複数の検査フォルダが設けられている。各検査フォルダの名称は、ＤＣＦ規格の規定により、３桁の数字＋５文字の英数字で構成される（例えば、「１００ＯＬＣＶ１」「１０１ＯＬＣＶ１」など）。そして、各検査フォルダの下に、個々の検査画像ファイルなどを登録することができる。なお、検査画像ファイルの名称も、ＤＣＦ規格の規定により、４文字の英数字＋４文字の連番数字．拡張子で構成される（例えば、「７００Ｈ０００１．ｊｐｇ」「７００Ｓ０００１．ｊｐｇ」など）。
【００２７】
一方、ＤＡＴＥ ａｎｄ ＩＤフォルダは、ルートディレクトリである検査画像保存用フォルダの下に、サブディレクトリとして複数の検査日フォルダが設けられている。そして、各検査日フォルダの下に、サブディレクトリとして、複数の検査フォルダが設けられている。更に、検査フォルダの下に、個々の検査画像ファイルなどを登録することができる。
【００２８】
検査画像保存用フォルダの名称は、ＤＣＦフォルダと異なり、ユーザが識別及び管理しやすい任意の名称（例えば「ＥｘａｍＩｍａｇｅ」など）が付与されている。検査日フォルダの名称は、内視鏡検査を行って検査画像を取得した年月日（例えば「２０１５０６０９」など）が付与されている。なお、図３に示す一例では、検査日フォルダの名称として、西暦年（４桁の数字）＋月（２桁の数字）＋日（２桁の数字）を用いているが、検査年月日が識別可能であり、かつ、他のフォルダと同一の名称にならないように一意となる名称を付与すればよい。例えば、「Ｈ２７０６０９」など、元号の頭文字（１桁の英字）＋和暦年（２桁の数字）＋月（２桁の数字）＋日（２桁の数字）を検査日フォルダの名称としてもよい。
【００２９】
また、図３に示す一例では、検査画像保存用フォルダの下に、サブディレクトリとして検査日フォルダが設けられているが、検査日フォルダの階層を、検査年月フォルダと検査日フォルダの２階層に分離して構成したり、検査年フォルダ、検査月フォルダ、検査日フォルダの３階層に分離して構成したりするなど、複数の階層構造としてもよい。
【００３０】
検査日フォルダの下に設けられたサブディレクトリである検査フォルダは、同日に行われた複数の検査を分類するためのフォルダである。検査フォルダは、内視鏡検査を行った年月日時分秒と検査対象の患者を識別するＩＤなどの組み合わせに、連番を付加した名称が付与されている。例えば、２０１５年６月９日１０時２６分３０秒に患者ＩＤ“１０３１９”の患者に対する内視鏡検査を行った際の、検査画像を登録する検査フォルダである場合、例えば「２０１５０６０９１０２６３０＿１０３１９＿００１」が検査フォルダの名称として付与される。
【００３１】
検査フォルダの名称として、検査日・時刻と患者ＩＤの後に連番を付加するのは、次の理由による。すなわち、同日に一人の患者が複数回の検査を行った場合、検査機器の時計の設定がずれていると、同じ名称の検査フォルダが複数作成されてしまう可能性があるため、フォルダ名称を一意に識別可能にする目的で連番を付加する必要があるからである。新規に検査フォルダを登録する場合に、既に同じ患者ＩＤで同一日同時刻の検査フォルダが存在する場合、最後の連番を一つ繰り上げて登録することで、別の検査であることを識別可能とする。
【００３２】
例えば、一人の患者が同日に胃部の内視鏡検査と大腸の内視鏡検査を行う場合、胃部の内視鏡検査時間と大腸の内視鏡検査時間とは別の時間に行われるため、通常であれば、胃部の内視鏡検査の検査画像を登録する検査フォルダと、大腸の内視鏡検査の検査画像を登録する検査フォルダとは別の名称が付与される。ところが、検査機器の時計の設定がずれており、胃部の内視鏡検査の検査時間と大腸の内視鏡検査の検査時間とが全く同一の時間として登録されてしまう場合、胃部の内視鏡検査の検査画像を登録する検査フォルダと、大腸の内視鏡検査の検査画像を登録する検査フォルダは同一の名称が付与されてしまう。
【００３３】
このような事態を回避するため、先の検査（例えば、胃部の内視鏡検査）の検査画像を登録する検査フォルダの名称は、検査日・時刻と患者ＩＤの後に「＿００１」を付加したものとし、後の検査（例えば、大腸の内視鏡検査）の検査画像を登録する検査フォルダの名称は、検査日・時刻と患者ＩＤの後に「＿００２」を付加したものとする。なお、検査フォルダの名称の付与の仕方は、上述の例に限定されるものではなく、他のフォルダと同一の名称にならないよう一意となる名称であれば、登録されている画像のプロパティが認識しやすい任意の名称を設定してよい。
【００３４】
このように設定された各検査フォルダの下に、個々の検査画像が登録される。なお、検査画像ファイルの名称は、図３に示すように、ＤＣＦ規格に準拠したものでもよいし、ユーザが独自に設定した名称でもよい。
【００３５】
次に、記録メディア５で保存する映像や静止画像の保存形式（ファイルの管理構造）の選択方法について説明する。図４は、ファイルの保存形式を選択する画面の一例を説明する図である。図３に示すように、ＤＣＦフォルダとＤＡＴＥ ａｎｄ ＩＤフォルダとの２つのフォルダが記録メディア５に設けられている場合、ＤＣＦフォルダの管理構造に関する情報と、ＤＡＴＥ ａｎｄ ＩＤフォルダの管理構造に関する情報とがメモリ１７に予め登録されている。内視鏡システムが起動されると、メモリ１７に登録されているデフォルトの保存形式（例えば、ＤＣＦ形式）が制御部１８に呼び出される。この状態でユーザが検査画像を記録メディア５に保存する場合、ＤＣＦフォルダ下の所定の検査フォルダの下に個々の検査画像が登録される。
【００３６】
検査画像の保存先をＤＡＴＥ ａｎｄ ＩＤフォルダに変更したい場合、ユーザはキーボード４などを用い、図４に示すようなファイルの保存形式選択画面を観察モニタ３に表示させる。選択可能なファイルの保存形式は、例えばドロップダウンリストとして画面上に表示されるので、ユーザはリストから所望の保存形式（ＤＡＴＥ ａｎｄ ＩＤ）を選択する。選択結果は制御部１８に出力され、メモリ１７に登録される。以上のように設定が完了すると、記録メディア５における検査画像の保存先がＤＡＴＥ ａｎｄ ＩＤフォルダに変更され、管理形式もＤＡＴＥ ａｎｄ ＩＤの形式に従う。通常、同一の検査で取得する検査画像は同一の形式で保存するが、ユーザの指定により、検査中に保存形式を変更することも可能である。
【００３７】
以上に述べたように、本実施形態によれば、記録メディア５における検査画像の保存形式として、ＤＣＦ形式の他にＤＡＴＥ ａｎｄ ＩＤ形式などユーザの任意の形式を設定可能としている。また、任意の保存形式においては、ファイルの管理構造（ディレクトリの階層構造）やフォルダのネーミングルールをユーザが独自に設定可能としているので、検査日付や患者ＩＤなどを用いてフォルダ名やファイル名を設定可能とすることができるため、ユーザの利便性が向上する。
【００３８】
本明細書における各「部」は、実施の形態の各機能に対応する概念的なもので、必ずしも特定のハードウェアやソフトウエア・ルーチンに１対１には対応しない。従って、本明細書では、実施の形態の各機能を有する仮想的回路ブロック（部）を想定して実施の形態を説明した。また、本実施の形態における各手順の各ステップは、その性質に反しない限り、実行順序を変更し、複数同時に実行し、あるいは実行毎に異なった順序で実行してもよい。さらに、本実施の形態における各手順の各ステップの全てあるいは一部をハードウェアにより実現してもよい。
【００３９】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４０】
１…ビデオプロセッサ、２…内視鏡、３…観察モニタ、４…キーボード、５…記録メディア、６…光源装置、１１…コネクタ、１２…映像処理部、１３…エンコーダ、１４…表示コントローラ、１５…映像信号切替回路、１６…Ｄ／Ａ変換回路、１７…メモリ、１８…制御部、１９…操作パネル、２１…コネクタ部、２１ａ…電気コネクタ、２２…操作スイッチ、２３…ライトガイド、２４…撮像素子、２５…挿入部、６１…光源、６２…集光レンズ、６３…操作パネル、１２１…映像処理回路、１２２…Ａ／Ｄ変換回路、１２３…ホワイトバランス回路、１２４…画像処理回路、
【図１】
2017012212.tif 000003
【図２】
2017012212.tif 000004
【図３】
2017012212.tif 000005
【図４】
2017012212.tif 000006